(57)【要約】【課題】導電性タブと導線の半田付け領域から導線が切断されても導線全体が離脱することを防止することによって、離脱した導線がバッテリセルまたは保護回路モジュールの回路領域に接触することにより発生する電気的な短絡(ｓｈｏｒｔ)を防止すること。【解決手段】本発明に係るバッテリパックは、複数のバッテリセル１００と、バッテリセル１００中の少なくとも一つのバッテリセルと電気的に接続される一側部と、前記一側部から延びた他側部を有する導電性タブ２００と、前記導電性タブ２００の他側部と電気的に接続される導線３００と、導線３００と電気的に接続される保護回路モジュール５００と、を含み、導電性タブ２００は他側部に形成される導線嵌合部をさらに含み、導線３００が前記導線嵌合部に嵌合されて固定されることを特徴とする。【選択図】図２
2010092850.tif 000002
【特許請求の範囲】
【請求項１】
複数のバッテリセルと、
前記バッテリセル中の少なくとも一つのバッテリセルと電気的に接続される一側部と、前記一側部から延びた他側部を有する導電性タブと、
前記導電性タブの他側部と電気的に接続される導線と、
前記導線と電気的に接続される保護回路モジュールと、を含み、
前記導電性タブは前記他側部に形成される導線嵌合部をさらに含み、前記導線が前記導線嵌合部に嵌合されて固定されることを特徴とするバッテリパック。
【請求項２】
前記導線は、導電性ワイヤと、前記導電性ワイヤの両端を外部に露出するように前記導電性ワイヤを覆う絶縁性被覆とを含むことを特徴とする請求項１に記載のバッテリパック。
【請求項３】
前記導線嵌合部は、
前記導電性タブの他側部の端部から延びて形成された延長部と、
前記延長部の対向する側端から折り曲げられて上方向に延びる側面部と、
前記の対向する側面部から突出して互いに対向する固定突起と、を含むことを特徴とする請求項２に記載のバッテリパック。
【請求項４】
前記導線の前記絶縁性被覆部分は前記固定突起の間に位置することを特徴とする請求項３に記載のバッテリパック。
【請求項５】
前記固定突起間の離隔距離は、前記導線の前記絶縁性被覆部分の直径よりも小さいことを特徴とする請求項４に記載のバッテリパック。
【請求項６】
前記固定突起間の離隔距離は、前記導線の前記絶縁性被覆部分の直径の６０％〜８５％であることを特徴とする請求項５に記載のバッテリパック。
【請求項７】
前記側面部間の離隔距離は、前記導線の前記絶縁性被覆部分の直径と同一であることを特徴とする請求項４に記載のバッテリパック。
【請求項８】
前記導線嵌合部は、
前記導電性タブの他側部の端部から延びて形成された延長部と、
前記延長部の対向する側端から折り曲げられて上方向に幅が広くなるように延びるテーパ部と、を含むことを特徴とする請求項２に記載のバッテリパック。
【請求項９】
前記テーパ部の端部間の離隔距離は、前記導線の前記絶縁性被覆部分の直径よりも小さいことを特徴とする請求項８に記載のバッテリパック。
【請求項１０】
前記導線嵌合部は、
前記導電性タブの他側部の端部から延びて形成された延長部と、
前記延長部の対向する側端から折り曲げられて上方向に延びる側面部と、を含むことを特徴とする請求項２に記載のバッテリパック。
【請求項１１】
前記側面部間の離隔距離は、前記導線の前記絶縁性被覆部分の直径よりも小さいことを特徴とする請求項１０に記載のバッテリパック。
【請求項１２】
前記導電性タブは、前記一側部、他側部および導線嵌合部が一体に形成されてなることを特徴とする請求項１に記載のバッテリパック。
【請求項１３】
前記導電性タブの他側部と前記導線の一端を半田付けして形成された半田部(ソルダー部)をさらに含むことを特徴とする請求項１に記載のバッテリパック。
【請求項１４】
前記導電性タブの他側部と前記バッテリセルとの間に介される絶縁テープをさらに含むことを特徴とする請求項１に記載のバッテリパック。
【請求項１５】
前記導電性タブの一側部は前記バッテリセルの底面または膨らんだ端子状上面と接触し、前記導電性タブの他側部は前記バッテリセルの側面と対向することを特徴とする請求項１に記載のバッテリパック。
【請求項１６】
前記バッテリセルは複数個の円筒形リチウムイオン電池であることを特徴とする請求項１に記載のバッテリパック。
【発明の詳細な説明】
【技術分野】
【０００１】
本発明は、導電性タブと導線の半田付け領域から導線が切断されても導線全体が離脱することを防止することによって、離脱した導線がバッテリセルまたは保護回路モジュールの回路領域に接触することにより発生する電気的な短絡(ｓｈｏｒｔ)を防止することができるバッテリパックに関するものである。
【背景技術】
【０００２】
一般にノート型パソコン、ＰＤＡ(Ｐｅｒｓｏｎａｌ Ｄｉｇｔａｌ
Ａｓｓｉｓｔａｎｔｓ)およびビデオカメラなどのような携帯用電子機器に使用されるバッテリパックは、バッテリセルの容量の限界のために複数のバッテリセルを一つに製造している。
【０００３】
具体的に、バッテリパックは、充放電が可能な複数のバッテリセルと、バッテリセルの充放電を制御する回路およびバッテリセルの過充放電を防止するための回路などを含む保護回路モジュール(Ｐｒｏｔｅｃｔｉｖｅ Ｃｉｒｃｕｉｔ Ｍｏｄｕｌｅ;ＰＣＭ)と、バッテリセルと保護回路モジュールを電気的に接続する導電性タブおよび導線などを含む。
【発明の概要】
【発明が解決しようとする課題】
【０００４】
前記バッテリパック中のバッテリセルと保護回路モジュールを電気的に接続する導電性タブと導線は、半田付けによって接続される。ところが、導線の端部において所定の長さで露出した導電性ワイヤの部分だけが導電性タブに半田付けされるため、導線の導電性ワイヤは強い外部衝撃を受けると半田付け領域から簡単に切断されてしまう。このように導電性ワイヤが半田付け領域から切断されると、切断された導電性ワイヤの導線が離脱してしまい、バッテリセルまたは保護回路モジュールの回路領域に接触し得る。これにより、離脱した導線によって電気的な短絡(ｓｈｏｒｔ)が発生するという問題点があった。
【０００５】
一方、常用のバッテリパックは、前記のような問題点を防止するために、導電性タブと導電性ワイヤの半田付け領域から導電性ワイヤが切断されても切断された導電性ワイヤの導線をバッテリセルの所定領域に固定させる固定テープを含んでいる。ところが、固定テープはバッテリセルから電解液が流出すると接着力が弱くなるため、導電性タブと導電性ワイヤの半田付け領域から切断された導電性ワイヤの導線を安定的に固定させることはできないという問題点がある。
【０００６】
そこで、本発明は、上記問題に鑑みてなされたものであり、本発明の目的とするところは、導電性タブと導線の半田付け領域から導線が切断されても導線全体が離脱することを防止することによって、離脱した導線がバッテリセルまたは保護回路モジュールの回路領域に接触することにより発生する電気的な短絡(ｓｈｏｒｔ)を防止することが可能な、新規かつ改良されたバッテリパックを提供することにある。
【課題を解決するための手段】
【０００７】
上記課題を解決するために、本発明のある観点によるバッテリパックは、複数のバッテリセルと、前記バッテリセル中の少なくとも一つのバッテリセルと電気的に接続される一側部と、前記一側部から延びた他側部を有する導電性タブと、前記導電性タブの他側部と電気的に接続される導線と、前記導線と電気的に接続される保護回路モジュールと、を含み、前記導電性タブは前記他側部に形成される導線嵌合部をさらに含み、前記導線が前記導線嵌合部に嵌合されて固定されることを特徴とする。
【０００８】
前記導線は、導電性ワイヤと、前記導電性ワイヤの両端を外部に露出するように前記導電性ワイヤを覆う絶縁性被覆とを含むものであってもよい。
【０００９】
前記導線嵌合部は、前記導電性タブの他側部の端部から延びて形成された延長部と、前記延長部の対向する側端から折り曲げられて上方向に延びる側面部と、前記の対向する側面部から突出して互いに対向する固定突起と、を含むものであってもよい。また、前記導線中、前記絶縁性被覆部分だけが前記固定突起の間に位置するものであってもよい。
【００１０】
前記固定突起間の離隔距離は前記導線の前記絶縁性被覆部分の直径よりも小さく形成されるものであってもよい。
【００１１】
前記固定突起間の離隔距離は前記導線の前記絶縁性被覆部分の直径の６０％〜８５％であってもよい。
【００１２】
前記側面部間の離隔距離は前記導線の前記絶縁性被覆部分の直径と等しく形成されるものであってもよい。
【００１３】
また、前記導線嵌合部は、前記導電性タブの他側部の端部から延びて形成された延長部と、前記延長部の対向する側端から折り曲げられて上方向に幅が広くなるように延びるテーパ部とを含むことができる。
【００１４】
前記テーパ部の端部間の離隔距離は前記導線の前記絶縁性被覆部分の直径よりも小さく形成されるものであってもよい。
【００１５】
また、前記導線嵌合部は、前記導電性タブの他側部端部から延びて形成された延長部と、前記延長部の対向する側端から折り曲げられて上方向に延びる側面部とを含むものであってもよい。
【００１６】
また、前記側面部間の離隔距離は前記導線の前記絶縁性被覆部分の直径よりも小さく形成されるものであってもよい。
【００１７】
前記導電性タブは、前記一側部、他側部および導線嵌合部が一体に形成されてなるものであってもよい。
【００１８】
また、前記導電性タブの他側部と前記導線の一端を半田付けして形成された半田部(ソルダー部)をさらに含むものであってもよい。
【００１９】
また、本発明の実施例に係るバッテリパックは、前記導電性タブの他側部と前記バッテリセルとの間に介される絶縁テープをさらに含むものであってもよい。
【００２０】
前記導電性タブの一側部は前記バッテリセルの底面または膨らんだ端子状上面と接触し、前記導電性タブの他側部は前記バッテリセルの側面と対向するものであってもよい。また、前記バッテリセルは複数個の円筒形リチウムイオン電池であってもよい。
【発明の効果】
【００２１】
本発明によれば、導電性タブに形成された導線嵌合部を用いて導線の一部を固定することによって、導電性タブと導線の半田付け部分(半田部)から導線が切断されても導線の全体的な離脱を防止することができる。これにより、本発明の実施例に係るバッテリパックは、導線が離脱してバッテリセルまたは保護回路モジュールの回路領域に接触することにより発生する電気的な短絡を防止することができる。
【００２２】
また、既存の固定テープの代わりに導電性タブの導線嵌合部を用いてロック(ｌｏｃｋｉｎｇ)構造で導線を固定することによって、バッテリセルから電解液が流出する場合に接着性が弱くなる固定テープにより導線が固定される場合に比べて導線をさらに安定的に固定することができる。
【００２３】
また、導線嵌合部が導電性タブに一体に形成されて導線を固定することによって、既存の導線を固定するために別途に用いられた固定テープに対する材料コストおよび製造工程を省略することができる。
【図面の簡単な説明】
【００２４】
【図１】本発明の一実施形態に係るバッテリパックの構造を示す概略図である。
【図２】図１の'Ａ'部分を示す拡大斜視図である。
【図３】図２の導電性タブを示す拡大斜視図である。
【図４】本発明の他の実施形態に係るバッテリパックにおいて図３の導電性タブの他の形態の導電性タブを示す拡大斜視図である。
【図５】図４の導電性タブと導線が嵌合された状態を示す斜視図である。
【図６】本発明のまた他の実施形態に係るバッテリパックにおいて図３の導電性タブのまた他の形態の導電性タブを示す拡大斜視図である。
【図７】図６の導電性タブと導線が嵌合された状態を示す斜視図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
図１は本発明の一実施例に係るバッテリパックの構造を示す概略図であり、図２は図１の'Ａ'部分を示す斜視図であり、図３は図２の導電性タブを示す拡大斜視図である。
【００２７】
図１〜図３に示すように、本発明の一実施例に係るバッテリパック７００は複数のバッテリセル１００、導電性タブ２００、導線３００、半田部(ソルダー部)４００、保護回路モジュール５００および絶縁テープ６００を含む。
【００２８】
前記バッテリセル１００のそれぞれは、上面と底面が互いに異なる極性を有するように設計されるが、図面において膨らんだ端子状上面が正極を示し、扁平な底面が負極を示すとする。また、ここではバッテリセル１００の上面がセル内の電極組立体(図示せず)の正極と電気的に接続され、底面がセル内の電極組立体の負極と電気的に接続されると仮定する。
【００２９】
このようなバッテリセル１００としては充放電が可能な円筒形二次電池(ｓｅｃｏｎｄａｒｙ ｂａｔｔｅｒｙ)が使用でき、特に作動電圧が３.６Ｖと高く、単位重量当たりのエネルギー密度が高い円筒形リチウム二次電池が使用できる。このようなバッテリセル１００は図面では６個で示しているが、その個数を限定するのではない。図１で、複数のバッテリセル１００は第１のバッテリセル〜第６のバッテリセル(１００Ａ、１００Ｂ、１００Ｃ、１００Ｄ、１００Ｅ、１００Ｆ)に区分した。
【００３０】
前記導電性タブ２００は、前記バッテリセル１００中の少なくとも一つのバッテリセルを接続する一側部と後述する導線３００と接続する他側部とを含む。また、前記導電性タブ２００は前記導線３００を固定させるように他側部に形成される導線嵌合部を含むことができる。このような前記導電性タブ２００は一側部、他側部および導線嵌合部が一体に形成されてなる。ここで、前記導電性タブ２００の一側部は前記バッテリセル１００の底面または膨らんだ端子状上面に接触する領域であり、前記導電性タブ２００の他側部は前記導電性タブ２００の一側部から延びて前記バッテリセル１００の側面と対向する領域である。
【００３１】
前記導電性タブ２００は、前記バッテリセル１００を電気的に直列または並列接続するように導電性材質、例えばニッケル(Ｎｉ)、銅(Ｃｕ)、アルミニウム(Ａｌ)およびその等価物中から選択されたいずれか一つで形成されるが、本発明でその材質を限定するのではない。図１で、導電性タブ２００は第１の導電性タブ〜第４の導電性タブ(２１０、２２０、２３０、２４０)に区分した。前記第１の導電性タブ２１０はバッテリセルの下側端部に位置する二つのセルの負極、すなわち最低電位段(Ｂ-)に接続される。前記第２および第３の導電性タブ(２２０、２３０)はセンシング段(Ｂ１、Ｂ２)に接続され、バッテリセル中の四つのセルを直列および並列接続する。前記第４の導電性タブ２４０はバッテリセルの上側端部に位置する二つのセルの正極、すなわち最高電位段に接続される。
【００３２】
このような導電性タブ２００はバッテリセルの個数が増加すると当然共に増加する。前記導電性タブ２００の構造については前記第１の導電性タブ２１０を例に挙げて説明する。
【００３３】
図２および図３に示すように、前記第１の導電性タブ２１０は一側部２１１および他側部２１３を含む。また、前記第１の導電性タブ２１０は前記他側部２１３に形成される導線嵌合部２１５を含む。
【００３４】
前記第１の導電性タブ２１０の一側部２１１は、前記第１のバッテリセル１００Ａの底面と前記第２のバッテリセル１００Ｂの底面に接触し、前記第１のバッテリセル１００Ａと前記第２のバッテリセル１００Ｂを電気的に接続する。前記第１の導電性タブ２１０の他側部２１３は、前記一側部２１１から延び、前記第２のバッテリセル１００Ｂの側面と対向し、後述する半田部４００を通じて前記第１の導線３１０と電気的に接続される。ここで、前記第１の導電性タブ２１０の他側部２１３は、前記半田部４００を形成するための半田付けが空間制約なく円滑に行われるように十分な幅を有する。
【００３５】
前記第１の導電性タブ２１０の導線嵌合部２１５は前記第１の導電性タブ２１０の他側部２１３の端部に形成され、前記第１の導線３１０を固定させる役割をする。具体的に、前記導線嵌合部２１５は延長部２１５ａ、側面部２１５ｂおよび固定突起２１５ｃを含む。
【００３６】
前記導線嵌合部２１５の延長部２１５ａは前記第１の導電性タブ２１０の他側部２１３の端部から平行に延びて形成される。このような延長部２１５ａの幅は前記第１の導電性タブ２１０の他側部２１３の幅よりも小さく形成され、概略的に前記導線嵌合部２１５に嵌合される部分の第１の導線３１０の直径(Ｄ１)と等しく形成される。
【００３７】
前記導線嵌合部２１５の側面部２１５ｂは、前記延長部２１５ａにおける対向する側端から折り曲げられて上方向に延び、前記延長部２１５ａと略垂直になる。このような側面部２１５ｂは、前記延長部２１５ａと共に、前記第１の導線３１０が前記導線嵌合部２１５に装着されて固定される空間を形成する。
【００３８】
前記導線嵌合部２１５の固定突起２１５ｃは前記の互いに対向する側面部２１５ｂから突出して形成される。前記固定突起２１５ｃは前記第１の導線３１０が前記導線嵌合部２１５、すなわち前記延長部２１５ａと側面部２１５ｂにより形成された空間に嵌合された後、前記空間から離脱しないように係止突起の役割をする。このために、前記固定突起２１５ｃ間の離隔距離(Ｓ１)は前記第１の導線３１０の直径(Ｄ１)よりも小さく形成することが好ましい。例えば、前記固定突起２１５ｃ間の離隔距離(Ｓ１)は前記第１の導線３１０の直径(Ｄ１)の６０％〜８５％である。ここで、前記固定突起２１５ｃ間の離隔距離(Ｓ１)が前記第１の導線３１０の直径(Ｄ１)の６０％未満であれば、第１の導線３１０が前記固定突起２１５ｃの間を通り難くなる。また、前記固定突起２１５ｃ間の離隔距離(Ｓ１)が前記第１の導線３１０の直径(Ｄ１)の８５％を超えると、外力によって前記導線嵌合部２１５から第１の導線３１０が離脱し易い。
【００３９】
前記導線３００は半田付けなどによって前記導電性タブ２００の他側部と接続される。また、前記導線３００は後述する保護回路モジュール５００に接続され、前記導電性タブ２００と前記保護回路モジュール５００を電気的に接続する。このような導線３００は、一部が前記導電性タブ２００の導線嵌合部にロック構造で装着されて固定され、着脱が可能である。図１で、前記導線３００は第１の導線〜第４の導線(３１０、３２０、３３０、３４０)に区分した。前記導線３００の構造については前記第１の
導線３１０を例に挙げて説明する。
【００４０】
具体的に、前記第１の導線３１０は、電流が流れる導電性ワイヤ３１１と、前記導電性ワイヤ３１１の両端を外部に露出するように前記導電性ワイヤ３１１を覆い、前記導電性タブ２００と前記保護回路モジュール５００間に発生する短絡を防止する絶縁性被覆３１３とを含む。
【００４１】
次は前記導電性タブ２００の導線嵌合部と前記導線３００との嵌合関係について、前記第１の導電性タブ２１０の導線嵌合部２１５と前記第１の導線３１０との嵌合関係を例に挙げて説明する。
【００４２】
前記第１の導電性タブ２１０の導線嵌合部２１５と前記第１の導線３１０との嵌合は、前記第１の導線３１０中の絶縁性被覆３１３部分が前記導線嵌合部２１５の互いに対向する固定突起２１５ｃの間を通り、前記導線嵌合部２１５の延長部２１５ａと前記側面部２１５ｂにより形成される空間に装着されてなる。
【００４３】
前記固定突起２１５ｃ間の離隔距離(Ｓ１)は、前記第１の導線３１０における絶縁性被覆３１３部分の直径(Ｄ１)よりも小さく形成されるため、前記導線嵌合部２１５の延長部２１５ａと前記側面部２１５ｂにより形成される空間から前記第１の導線３１０が離脱しない。すなわち、前記第１の導線３１０の一部が前記導線嵌合部２１５により固定されるため、前記第１の導電性タブ２１０の他側部２１３と前記第１の導線３１０の半田付け領域(半田部４００)から前記第１の導線３１０が切断されても、前記第１の導線３１０全体が離脱しない。これにより、前記第１の導線３１０が離脱してバッテリセル１００または保護回路モジュール５００の回路領域に接触することにより発生する電気的な短絡を防止することができる。
【００４４】
また、前記側面部２１５ｂ間の離隔距離(Ｓ２)は、前記第１の導線３１０中の絶縁性被覆３１３部分の直径(Ｄ１)と等しく形成されるため、第１の導線３１０が前記導線嵌合部２１５の延長部２１５ａと前記側面部２１５ｂにより形成される空間に装着された後にも移動しなくなる。これにより、前記第１の導電性タブ２１０の他側部２１３と前記第１の導線３１０の半田付け時に半田付けが揺れずに安定的に行える。
【００４５】
前記半田部４００は前記導電性タブ２００の他側部と前記導線３００の一端(すなわち、導電性ワイヤ３１１の一端)を半田付けすることによって形成される。このような半田部４００は実質上、前記導電性タブ２００と前記導線３００を電気的に接続する。図示は省略したが、前記半田部４００は前記導線３００の他端と後述する保護回路モジュール５００の接続部位にも形成できる。
【００４６】
前記保護回路モジュール５００は前記導線３００と接続され、前記導電性タブ２００を通じて前記バッテリセル１００と電気的に接続される。このような保護回路モジュール５００は図示しないが、絶縁基板に前記バッテリセル１００の充放電を可能にする回路、前記バッテリセル１００の過充放電を防止するための保護回路、および外部セットまたは充電器などと電気的に接続するために設けられるコネクタなどを含んでなる。
【００４７】
前記絶縁テープ６００は前記導電性タブ２００の他側部と前記バッテリセル１００の側面との間に介される。
【００４８】
具体的に、前記絶縁テープ６００は前記第１の導電性タブ〜第４の導電性タブ(２１０、２２０、２３０、２４０)のそれぞれの他側部と前記バッテリセル１００の側面との間に介される。このような絶縁テープ６００は、前記第１の導電性タブ〜第４の導電性タブ(２１０、２２０、２３０、２４０)のそれぞれの他側部と前記導線３００の一端を半田付けする時に加えられる熱が前記バッテリセル１００に影響を与えることを防止する役割をする。また、前記絶縁テープ６００は、正極として機能をするバッテリセル１００における膨らんだ端子状上面に接続した導電性タブ２００と、負極として機能をするバッテリセル１００の側面とを電気的に絶縁する役割をする。
【００４９】
このように、本発明の一実施例に係るバッテリパック７００は、前記導電性タブ２００に形成された導線嵌合部を用いて前記導線３００の一部を固定することによって、前記導電性タブ２００と前記導線３００の半田付け領域(半田部４００)から前記導線３００が切断されても、前記導線３００の全体的な離脱を防止することができる。これにより、本発明の一実施例に係るバッテリパック７００は前記導線３００が離脱して前記バッテリセル１００または保護回路モジュール５００の回路領域に接触することにより発生する電気的な短絡を防止することができる。
【００５０】
また、本発明の一実施例に係るバッテリパック７００は、既存の固定テープの代わりに前記導電性タブ２００の導線嵌合部を用いてロック構造で前記導線３００を固定することによって、バッテリセルから電解液が流出する場合に接着性が弱くなる固定テープにより導線が固定される場合に比べて前記導線３００を安定的に固定させることができ、さらに既存の固定テープに対する材料コストと製造工程を低減することができる。
【００５１】
また、本発明の一実施例に係るバッテリパック７００は、導線嵌合部が導電性タブ２００に一体に形成されて導線を固定することによって、既存の導線を固定するために別途に用いられた固定テープに対する材料コストおよび製造工程を省略することができる。
【００５２】
次に、本発明の他の実施例に係るバッテリパックの導電性タブについて説明する。図４は本発明の他の実施例に係るバッテリパックにおいて図３の導電性タブの他の形態の導電性タブを示す拡大斜視図であり、図５は図４の導電性タブと導線が嵌合された状態を示す斜視図である。
【００５３】
本発明の他の実施例に係るバッテリパックは、本発明の一実施例に係るバッテリパック７００と、導電性タブの構造を除いては構成および機能が同一である。そのため、本発明の他の実施例に係るバッテリパックにおいて同一構成要素についての重複説明は省略し、導電性タブおよび導電性タブと導線との嵌合関係についてだけ説明する。ここでも、導電性タブの構造について第１の導電性タブ８１０を例に挙げて説明し、導電性タブと導線との嵌合関係については第１の導電性タブ８１０と第１の導線３１０を例に挙げて説明する。
【００５４】
図４に示すように、前記第１の導電性タブ８１０は、前記第１のバッテリセル１００Ａの底面と前記第２のバッテリセル１００Ｂの底面に接触する一側部８１１と、前記一側部８１１から延びて前記第２のバッテリセル１００Ｂの側面と対向する他側部８１３とを含む。また、前記第１の導電性タブ８１０は前記他側部８１３に形成される導線嵌合部８１５を含む。
【００５５】
前記第１の導電性タブ８１０の一側部８１１および他側部８１３は、前記第１の導電性タブ２１０の一側部２１１および前記他側部２１３とその形態および機能が同一であるので、重複説明は省略する。
【００５６】
前記第１の導電性タブ８１０の導線嵌合部８１５は、前記第１の導電性タブ８１０の他側部８１３の端部に形成され、前記第１の導線３１０を固定する役割をする。具体的に、前記導線嵌合部８１５は延長部８１５ａおよびテーパ部８１５ｂを含む。
【００５７】
前記導線嵌合部８１５の延長部８１５ａは、前記導線嵌合部２１５の延長部２１５ａとその形態および機能が同一であるので、重複説明は省略する。
【００５８】
前記導線嵌合部８１５のテーパ部８１５ｂは、前記延長部８１５ａの対向する側端から折り曲げられて上方向に幅が広くなるように延び、前記延長部８１５ａと略垂直になる。このようなテーパ部８１５ｂは、前記延長部８１５ａと共に前記第１の導線３１０が前記導線嵌合部８１５に装着されて固定される空間を形成すると同時に、前記第１の導線３１０が前記導線嵌合部８１５、すなわち前記延長部８１５ａとテーパ部８１５ｂにより形成された空間に嵌合された後、前記空間から離脱しないように係止突起の役割をする。このために、前記テーパ部８１５ｂの端部間の離隔距離(Ｓ１１)が前記第１の導線３１０の直径(Ｄ１)よりも小さく形成されることが好ましい。前記テーパ部８１５ｂの端部間の離隔距離(Ｓ１１)は、前記固定突起２１５ｃ間の離隔距離(Ｓ１)と同じ数値に設定できる。
【００５９】
図５に示すように、前記第１の導電性タブ８１０の導線嵌合部８１５と前記第１の導線３１０との嵌合は、前記第１の導線３１０中の絶縁性被覆３１３部分が前記導線嵌合部８１５における互いに対向するテーパ部８１５ｂの端部の間を通って、前記導線嵌合部８１５の延長部８１５ａと前記テーパ部８１５ｂにより形成される空間に装着されてなる。
【００６０】
前記テーパ部８１５ｂ間の離隔距離(Ｓ１１)は、前記第１の導線３１０中の絶縁性被覆３１３部分の直径(Ｄ１)よりも小さく形成されるため、前記空間から前記第１の導線３１０が離脱しない。すなわち、前記第１の導線３１０の一部が前記導線嵌合部８１５により固定されるため、前記第１の導電性タブ８１０の他側部８１３と前記第１の導線３１０の半田付け領域(半田部４００)から前記第１の導線３１０が切断されても前記第１の導線３１０全体が離脱しない。これにより、第１の導線３１０が離脱してバッテリセル１００または保護回路モジュール５００の回路領域に接触することにより発生する電気的な短絡を防止することができる。
【００６１】
また、前記テーパ部８１５ｂはテーパ状に形成され、前記第１の導線３１０を覆ってしっかりと固定される。これにより、前記第１の導線３１０が前記導線嵌合部８１５に装着された後でも移動することがなく、前記第１の導電性タブ８１０の他側部８１３と前記第１の導線３１０の半田付け時に半田付けが揺れずに安定的に行える。このように、本発明の他の実施例に係るバッテリパックは、導線嵌合部８１５のテーパ部８１５ｂを用いて第１の導線３１０をしっかりと固定するため、本発明の一実施例に係るバッテリパックの導線嵌合部２１５を用いる場合よりも第１の導線３１０をさらに堅固に固定させることができる。
【００６２】
次に、本発明のまた他の実施例に係るバッテリパックの導電性タブについて説明する。図６は本発明のまた他の実施例に係るバッテリパックにおいて図３の導電性タブのまた他の形態の導電性タブを示す拡大斜視図であり、図７は図６の導電性タブと導線が嵌合された状態を示す斜視図である。
【００６３】
本発明のまた他の実施例に係るバッテリパックは、本発明の一実施例に係るバッテリパック７００に比べ、導電性タブの構造を除いては構成および機能が同一である。これにより、本発明のまた他の実施例に係るバッテリパックにおいて同一構成要素についての重複説明は省略し、導電性タブおよび導電性タブと導線との嵌合関係についてだけ説明する。ここでも、導電性タブの構造について第１の導電性タブ９１０を例に挙げて説明し、導電性タブと導線との嵌合関係については第１の導電性タブ９１０と第１の導線３１０を例に挙げて説明する。
【００６４】
図６に示すように、前記第１の導電性タブ９１０は、前記第１のバッテリセル１００Ａの底面と前記第２のバッテリセル１００Ｂの底面に接触する一側部９１１と、前記一側部９１１から延びて前記第２のバッテリセル１００Ｂの側面と対向する他側部９１３とを含む。また、前記第１の導電性タブ９１０は前記他側部９１３に形成される導線嵌合部９１５を含む。
【００６５】
前記第１の導電性タブ９１０の一側部９１１および前記他側部９１３は、前記第１の導電性タブ２１０の一側部２１１および前記他側部２１３とその形態および機能が同一であるので、重複説明は省略する。
【００６６】
前記第１の導電性タブ９１０の導線嵌合部９１５は、前記第１の導電性タブ９１０の他側部９１３の端部に形成され、前記第１の導線３１０を固定する役割をする。具体的に、前記導線嵌合部９１５は延長部９１５ａおよび側面部９１５ｂを含む。
【００６７】
前記導線嵌合部９１５の延長部９１５ａは前記導線嵌合部２１５の延長部２１５ａとその形態および機能が同一である。但し、前記導線嵌合部９１５の延長部９１５ａは前記導線嵌合部２１５の延長部２１５ａの幅よりも小さい幅を有する。すなわち、導線嵌合部９１５の延長部９１５ａは前記第１の導線３１０の直径(Ｄ１)よりも小さい幅を有する。
【００６８】
前記導線嵌合部９１５の側面部９１５ｂは、前記導線嵌合部２１５の側面部２１５ｂとその形態および機能が同一である。但し、前記導線嵌合部９１５の側面部９１５ｂは前記導線嵌合部２１５の延長部２１５ａの幅よりも小さい幅を有する前記延長部９１５ａから延びて形成されるため、前記導線嵌合部２１５の側面部２１５ｂ間の離隔距離(Ｓ１)よりも小さい離隔距離(Ｓ２１)を有する。これにより、前記導線嵌合部９１５は前記第１の導線３１０を押し込んで嵌合する方式で固定させることができる。
【００６９】
図７に示すように、前記第１の導電性タブ９１０の導線嵌合部９１５と前記第１の導線３１０との嵌合は、前記第１の導線３１０中の絶縁性被覆３１３部分が前記導線嵌合部９１５の互いに対向する側面部９１５ｂ間に押し込んで嵌合する方式ではめ込まれ、前記導線嵌合部９１５の延長部９１５ａと前記側面部９１５ｂにより形成される空間に装着されてなる。
【００７０】
前記導線嵌合部９１５の側面部９１５ｂ間の離隔距離(Ｓ２１)は前記第１の導線３１０中の絶縁性被覆３１３部分の直径(Ｄ１)よりも小さく形成されるため、前記導線嵌合部９１５の延長部９１５ａと側面部９１５ｂにより形成される空間から前記第１の導線３１０が離脱しない。すなわち、前記第１の導線３１０の一部が前記導線嵌合部９１５により固定されるため、前記第１の導電性タブ９１０の他側部９１３と前記第１の導線３１０の半田付け領域(半田部４００)から前記第１の導線３１０が切断されても、前記第１の導線３１０全体が離脱しない。これにより、導線第１の３１０が離脱してバッテリセル１００または保護回路モジュール５００の回路領域に接触することにより発生する電気的な短絡を防止することができる。
【００７１】
このように、本発明のまた他の実施例に係るバッテリパックは、延長部９１５ａと側面部９１５ｂからなる導線嵌合部９１５を用いて第１の導線３１０を押し込んで嵌合する方式で固定させることで、本発明の一実施例に係るバッテリパックの導線嵌合部を用いる場合より簡単な形態で導線を固定させることができる。
【００７２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００７３】
１００    装置
１０２    部品
１００    バッテリセル
２００    導電性タブ
３００    導線
４００    半田部
５００    保護回路モジュール(ＰＣＭ) 
６００    絶縁テープ
７００    バッテリパック
【図１】
2010092850.tif 000003
【図２】
2010092850.tif 000004
【図３】
2010092850.tif 000005
【図４】
2010092850.tif 000006
【図５】
2010092850.tif 000007
【図６】
2010092850.tif 000008
【図７】
2010092850.tif 000009